(57)【特許請求の範囲】
【請求項１】
電動機のリード線接合部に接合された複数本のリード線を、該リード線接合部を覆うカバーに突出形成されたリード線引出部を通して電動機の外部に引出し、引出されたリード線を保護チューブに挿通し、該保護チューブの端部を前記リード線引出部に挿入して前記リード線を保護するようにした電動機において、
前記リード線接合部を、前記電動機のフレームの一端側に設置された端子台に設け、
前記保護チューブの端部を前記リード線引出部に挿入するとき、該保護チューブの端部が前記リード線接合部近傍の位置へ進入するのを阻止するストッパを、前記端子台の外周部から前記リード線引出部内にその先端部を突出させるように前記端子台に一体に設けたことを特徴とする電動機。
【請求項２】
前記ストッパは、前記カバー内で前記複数本のリード線を分離、絶縁する仕切板としても機能することを特徴とする請求項１に記載の電動機。
【請求項３】
前記保護チューブの外径寸法と前記リード線引出部の内径寸法とは締り嵌め寸法とされ、前記保護チューブと前記リード線引出部との間から電動機内部へ異物が進入するのを防止することを特徴とする請求項１に記載の電動機。
【請求項４】
請求項１〜３のいずれか１つに記載の電動機により羽根車を駆動させるようにしたことを特徴とする換気装置。
【発明の詳細な説明】
【技術分野】
【０００１】
本発明は、電動機及び電動機で羽根車を駆動する換気装置に関するものである。
【背景技術】
【０００２】
従来の電動機として、フレームに装備された電装品と、この電装品に配線された電装品用電線と、上記フレームに設けられた端子台と、端子が設けられて上記端子台に装着されたコネクタと、上記端子に配線された駆動用電線と、上記端子台及びコネクタに嵌合すると共に上記駆動用電線が挿通される嵌合空所を形成した枠状部、この枠状部が一側へ延長されて形成され上記電装品用電線が挿通される配線空所を構成した第一保持部及びコ字状をなしこのコ字の開口部が上記枠状部の上下の縁部に係止されて上記嵌合空所の上記第一保持部寄りの縁部に配置され上記第一保持部に挿通された上記電装品用電線が挿通される配線空所を構成した第二保持部からなる配線保持具とを備え、配線保持具により駆動用電線及び電装品用電線を保持・固定し、電線に外力が作用しても端子、コネクタ等の電線接合部に外力が作用しないようにし、電線接合部が外れないようにしたものがある（例えば、特許文献１参照）。
【０００３】
【特許文献１】特開平１０−３３６９４８号公報
【発明の開示】
【発明が解決しようとする課題】
【０００４】
しかしながら、上記従来の技術によれば、配線保持具のような電動機を構成する部品点数が増加し、製造コストの増大を招くという問題があった。また、電線を配線保持具に引き回す必要があり、配線作業に手間と時間を要するという問題があった。
【０００５】
本発明は、上記に鑑みてなされたものであって、電線接合部が外れ難く、製造コストが低く、配線作業の容易な電動機及び換気装置を得ることを目的とする。
【課題を解決するための手段】
【０００６】
上述した課題を解決し、目的を達成するために、本発明は、電動機のリード線接合部に接合された複数本のリード線を、該リード線接合部を覆うカバーに突出形成されたリード線引出部を通して電動機の外部に引出し、引出されたリード線を保護チューブに挿通し、該保護チューブの端部を前記リード線引出部に挿入して前記リード線を保護するようにした電動機において、前記リード線接合部を、前記電動機のフレームの一端側に設置された端子台に設け、前記保護チューブの端部を前記リード線引出部に挿入するとき、該保護チューブの端部が前記リード線接合部近傍の位置へ進入するのを阻止するストッパを、前記端子台の外周部から前記リード線引出部内にその先端部を突出させるように前記端子台に一体に設けたことを特徴とする。
【発明の効果】
【０００７】
この発明によれば、電動機を構成する部品点数が少なく、配線作業が容易で、リード線接合部の品質の安定した電動機が得られるという効果を奏する。
【発明を実施するための最良の形態】
【０００８】
以下に、本発明にかかる電動機及び換気装置の実施の形態を図面に基づいて詳細に説明する。なお、この実施の形態によりこの発明が限定されるものではない。
【０００９】
実施の形態．
図１は、本発明に係る電動機の実施の形態を示す一部破断側面図であり、図２は、カバーの平面図であり、図３は、端子台の斜視図であり、図４は、保護チューブ挿入前を示す図１のＡ部拡大図であり、図５は、保護チューブ挿入後を示す図１のＡ部拡大図であり、図６は、本発明に係る換気装置の実施の形態を示す側断面図である。
【００１０】
図１に示すように、実施の形態の電動機１０は、底板を有する円筒状の後フレーム３ａと、底板を有する円筒状の前フレーム３ｂと、前、後フレーム３ａ、３ｂ内に収容され固定子コイル１ａが巻装された固定子１と、軸受２ｃ、２ｄを介して前、後フレーム３ａ、３ｂに回転可能に支持された回転軸２ａと、回転軸２ａに装着され固定子１内に挿入され駆動される回転子２と、を備えている。前、後フレーム３ａ、３ｂは、フランジ部３ｃ、３ｄで締結されてフレーム３を構成している。
【００１１】
フレーム３の一端側としての後フレーム３ａの後端側には、図３に全体を示す円盤状の端子台４が設置されている。端子台４の中央凹部４ａには、コンデンサー等を実装し、配端子台４上の端子に固定子コイル１ａ、１ａが接続される。この端子に電源線としての複数本（２本）のリード線５、５がハンダ付け等で接合されている。
【００１２】
２本のリード線５、５は、端子台４に設けられた仕切板（絶縁板）４ｂで仕切られた２本の配線通路４ｃ、４ｃ（図３参照）を別々に通って電動機１０の外部へ引き出される（図１参照）。リード線５、５が接合された端子台４は、リード線引出部６ａ及び底板を有する円筒状のカバー６で覆われ、カバー６のフランジ部６ｂが、前、後フレーム３ａ、３ｂのフランジ部３ｃ、３ｄに締結される。
【００１３】
図２に示すように、リード線引出部６ａは、カバー６の外周部を、外方へ半円筒状に突出させて形成している。図３に示すように、仕切板４ｂの外端部として形成されているストッパ４ｄは、端子台４の外周部よりも外側へ２ｍｍ程度突出してリード線引出部６ａ内へ進入し、後述する保護チューブ７のストッパ４ｄとなる。言い換えれば、ストッパ４ｄが仕切板としても機能していると言える。
【００１４】
図４に示すように、リード線引出部６ａを通して電動機１０の外部に引出したリード線５、５を、柔軟な樹脂製の保護チューブ７に挿通し、保護チューブ７を摺動させて端部７ａをカバー６のリード線引出部６ａの入口まで近づける。続いて図５に示すように、端部７ａをリード線引出部６ａ内に挿入し、ストッパ４ｄに当接させる。保護チューブ７は、ストッパ４ｄによりリード線接合部近傍の位置（図５に示す位置Ｐ）への進入を阻止される。
【００１５】
保護チューブ７のリード線引出部６ａ内への進入距離は、４ｍｍ程度とされている。保護チューブ７の外径寸法とリード線引出部６ａの内径寸法とは締り嵌め寸法とされていて、保護チューブ７をストッパ４ｄ位置まで挿入すれば、摩擦抵抗により、保護チューブ７が抜け落ちることはない。また、締り嵌め寸法とすることにより、保護チューブ７とリード線引出部６ａとの間から埃等の異物が進入するのを防止する。
【００１６】
保護チューブ７が、リード線接合部近傍の位置Ｐまで進入してしまうと、リード線５、５に図４の上方方向の力が働き、リード線接合部を剥がすように作用して接合部の品質を劣化させるが、実施の形態の電動機１０では、ストッパ４ｄにより、保護チューブ７がリード線接合部近傍の位置Ｐまで進入することはないので、接合部の品質が安定する。また、配線保持具のような部品を必要とせず、リード線を配線保持具に引き回す必要もない。
【００１７】
図６に示すように、実施の形態の電動機１０の回転軸に羽根車２０を装着し、電動機１０を換気装置としての換気扇のフレーム３０に取付け、電動機１０により羽根車２０を駆動するようにすると、実施の形態の換気装置５０となる。換気装置５０は、部品点数が少なく、配線作業が容易で、電動機１０のリード線接合部の品質が安定している。
【００１８】
なお、実施の形態の電動機１０では、ストッパ４ｄを端子台４に設けているが、ストッパは、リード線引出部６ａの壁の一部を内側に突出させて形成してもよい。
【産業上の利用可能性】
【００１９】
この発明に係る電動機は、電動機を構成する部品点数が少なく、配線作業が容易で、リード線接合部の品質が安定しているので、換気装置用の電動機として有用である。
【図面の簡単な説明】
【００２０】
【図１】本発明に係る電動機の実施の形態を示す一部破断側面図である。
【図２】カバーの平面図である。
【図３】端子台の斜視図である。
【図４】保護チューブ挿入前を示す図１のＡ部拡大図である。
【図５】保護チューブ挿入後を示す図１のＡ部拡大図である。
【図６】本発明に係る換気装置の実施の形態を示す側断面図である。
【符号の説明】
【００２１】
１  固定子
２  回転子
３  フレーム
３ａ  後フレーム
３ｂ  前フレーム
４  端子台
４ｂ  仕切板
４ｄ  ストッパ
５  リード線
６  カバー
６ａ  リード線引出部
７  保護チューブ
７ａ  端部
Ｐ  リード線接合部近傍の位置
１０  電動機
２０  羽根車
３０  換気扇のフレーム
５０  換気扇（換気装置）
【図１】
0004537331.tif 000002
【図２】
0004537331.tif 000003
【図３】
0004537331.tif 000004
【図４】
0004537331.tif 000005
【図５】
0004537331.tif 000006
【図６】
0004537331.tif 000007